(57)【要約】【課題】斜めあるいは横向きに取り付けた場合でも、下方への照射が可能で効率的な配光が得られるＬＥＤ電球を提供する。【解決手段】口金２７をソケット５２に回転装着することにより、電源装置２３に電力を供給して、ＬＥＤ基板２５に実装されたＬＥＤ２６を点灯させる。この際に、ＬＥＤ２６を実装したＬＥＤ基板２５およびボディ２２に設けられている開口２２１が、口金２７の回転中心ＣＬに対して傾斜する方向に配設されているので、ＬＥＤ電球１０を斜めに取り付けた場合でも、下方への照射が可能であり、効率的に配光できる。【選択図】図１
2012133923.tif 000002
【特許請求の範囲】
【請求項１】
ＬＥＤを実装したＬＥＤ基板と、
前記ＬＥＤを点灯させる電源装置と、
ソケットに回転装着されて前記電源装置に電力を供給する口金が取り付けられた基部と、
前記ＬＥＤ基板および前記電源装置を収容し、前記ＬＥＤの照明側が開口したボディと、
前記ボディの開口を覆う透光性カバーと、を有し、
前記ＬＥＤ基板が、前記口金の回転中心に対して傾斜する方向に配設されたＬＥＤ電球。
【請求項２】
請求項１に記載のＬＥＤ電球において、
前記ボディを前記基部に対して回転自在に連結する回転機構を有するＬＥＤ電球。
【請求項３】
請求項２に記載のＬＥＤ電球において、
前記回転機構は、前記基部と前記ボディとの相対的回転が所定角度以上とならないように規制する過回転防止機構を有するＬＥＤ電球。
【請求項４】
請求項２または請求項３に記載のＬＥＤ電球において、
前記回転機構は、通常使用時における前記基部と前記ボディとの間の自由な相対的回転を規制するノッチ機構を有するＬＥＤ電球。
【請求項５】
請求項１に記載のＬＥＤ電球において、
前記ＬＥＤ基板が、傾斜している方向へ揺動可能であるＬＥＤ電球。
【発明の詳細な説明】
【技術分野】
【０００１】
本発明は、ＬＥＤを光源に用い、従来と同様の電球形状をしたＬＥＤ電球に関するものである。
【背景技術】
【０００２】
従来より、光源にＬＥＤを用い、従来の電球と共通の口金を有するＬＥＤ電球が知られている（例えば、特許文献１参照）。
図７に示すように、特許文献１に記載のＬＥＤ電球１００は、光源であるＬＥＤ１０２を有する球状の灯体１０１と、灯体１０１の上側（図７において上側）に灯体１０１を回転自在に支持するカバー１０３を有する。また、カバー１０３の上側には、点灯装置１０５を収容する口金１０４が設けられている。
なお、口金１０４は、従来の電球や電球型蛍光灯の口金と共通の形状をしており、従来のソケットに装着可能となっている。
【０００３】
灯体１０１の内部には、第１の軸体１０６が灯体１０１の直径方向に設けられている。また、灯体１０１には、第１の軸体１０６の中心（すなわち、灯体１０１の中心でもある。）を通り、第１の軸体１０６に直交する方向にスリット１０８が設けられている。
一方、カバー１０３には、口金１０４をソケット（図示省略）に回転挿入する際の回転中心Ａ上に第２の軸体１０７が設けられている。第２の軸体１０７は、上端１０７Ａを中心として第２の軸体１０７の中心軸回り（図７中矢印Ｂ方向）に回転可能であり、かつ、上端１０７Ａを支点として、任意の方向にわずかに揺動可能となっている。第２の軸体１０７は、灯体１０１のスリット１０８を通過する。
【０００４】
灯体１０１の第１の軸体１０６は、中心において第２の軸体１０７に対して第１の軸体１０６の中心軸回り（図７中矢印Ｃ方向）に回転自在に取り付けられている。
なお、点灯装置１０５とＬＥＤ１０２との間は、電線１０９Ａ、１０９Ｂにより電気的に接続されている。
【０００５】
従って、灯体１０１は、第２の軸体１０７を中心として、第１の軸体１０６を含む水平方向（図７中矢印Ｂ方向）に回転可能であり、かつ、第１の軸体１０６を中心として鉛直方向（図７中矢印Ｃ方向）へ回転可能である。
これにより、ＬＥＤ１０２から発せられた光は、所定範囲において回転中心Ａ回りに３６０°照射可能となっている。
【先行技術文献】
【特許文献】
【０００６】
【特許文献１】特開２００８−２５１４４４号公報（第１図）
【発明の概要】
【発明が解決しようとする課題】
【０００７】
しかしながら、前述した従来のＬＥＤ電球１００においては、傾斜したソケットに取り付けてＬＥＤ１０２の照射方向を所望の方向へ合わせる際には、ＬＥＤ電球１００をソケットに取り付けた後、まず、第２の軸体１０７を中心として回転させて、スリット１０８面が鉛直面となるようにする。そして、第１の軸体１０６を中心として灯体１０１を回転させることにより、照射方向を決定するため、作業が面倒であるとともに、決定後に照射方向がずれるおそれがあり、理想的な配光が得られず、効率的ではないという問題があった。
【０００８】
本発明は、従来の問題を解決するためになされたもので、斜めあるいは横向きに取り付けた場合でも、下方への照射が可能で効率的な配光が得られるＬＥＤ電球を提供することを目的とする。
【課題を解決するための手段】
【０００９】
本発明のＬＥＤ電球は、ＬＥＤを実装したＬＥＤ基板と、前記ＬＥＤを点灯させる電源装置と、ソケットに回転装着されて前記電源装置に電力を供給する口金が取り付けられた基部と、前記ＬＥＤ基板および前記電源装置を収容し、前記ＬＥＤの照明側が開口したボディと、前記ボディの開口を覆う透光性カバーと、を有し、前記ＬＥＤ基板が、前記口金の回転中心に対して傾斜する方向に配設されたものである。
【００１０】
また、本発明のＬＥＤ電球は、前記ボディを前記基部に対して回転自在に連結する回転機構を有するものである。
【００１１】
また、本発明のＬＥＤ電球では、前記回転機構は、前記基部と前記ボディとの相対的回転が所定角度以上とならないように規制する過回転防止機構を有するものである。
【００１２】
また、本発明のＬＥＤ電球では、前記回転機構は、通常使用時における前記基部と前記ボディとの間の自由な相対的回転を規制するノッチ機構を有するものである。
【００１３】
さらに、本発明のＬＥＤ電球では、前記ＬＥＤ基板が、傾斜している方向へ揺動可能であるものである。
【発明の効果】
【００１４】
本発明は、ＬＥＤを実装したＬＥＤ基板が、口金の回転中心に対して傾斜する方向に配設されているので、ＬＥＤ電球を斜めに取り付けた場合でも、下方への照射が可能であり、効率的に配光できるという効果を有するＬＥＤ電球を提供できる。
【図面の簡単な説明】
【００１５】
【図１】本発明に係る第１実施形態のＬＥＤ電球を用いたダウンライトの断面図
【図２】本発明に係る第１実施形態のＬＥＤ電球の一部破断の側面図
【図３】（Ａ）は図２中ＩＩＩ部分の拡大断面図であり、（Ｂ）は（Ａ）中Ｂ−Ｂ位置の断面図
【図４】（Ａ）図３（Ａ）中ＩＶ−ＩＶ位置の断面図であり、（Ｂ）は（Ａ）中Ｂ−Ｂ位置の断面図
【図５】本発明に係る第２実施形態のＬＥＤ電球の縦断面図
【図６】図５中ＶＩ方向から見たカバーの正面図
【図７】従来のＬＥＤ電球の断面図
【発明を実施するための形態】
【００１６】
（第１実施形態）
以下、本発明に係る第１実施形態のＬＥＤ電球について、図面を用いて説明する。
図１に示すように、本発明に係る第１実施形態のＬＥＤ電球１０は、天井面１１に設けられている取付孔１２に嵌め込んで，下方を照らすダウンライト５０に用いることができる。
ダウンライト５０は、従来より白熱灯や電球型蛍光灯を用いて使用されているものであり、電球等を収容し下方へ開口（開口部５１１）する器具本体５１を有する。器具本体５１の側面には、電球等を取り付けるソケット５２が、取付角度（すなわち、口金２７を回転挿入する角度）を水平面に対して角度θ（例えば、１６度）だけ傾けて取り付けられている。
【００１７】
なお、ダウンライト５０は、開口部５１１の周囲に設けられて取付時に天井面１１に当接する枠部５３を有しており、器具本体５１の外側面には器具本体５１を天井面１１に固定するための取付金具５４を有する。
従って、天井面１１を枠部５３と取付金具５４との間に把持することにより、器具本体５１は天井面１１に固定される。
【００１８】
図２に示すように、ＬＥＤ電球１０は、お椀形状の基部２１を有しており、基部２１の一端側（図２において右側）には、口金２７が取り付けられている。また、基部２１の他端側（図２において左側）には、回転機構３０を介して不透光性のボディ２２が取り付けられている。ボディ２２は、分割面２２２において上下に２分割されている。
【００１９】
ボディ２２は，下方に開口２２１を有しており、開口２２１には透光性カバー２４が取り付けられている。また、ボディ２２の内部には、開口２２１の近傍で開口２２１に対向してＬＥＤ基板２５が収容されており、ＬＥＤ基板２５には複数個のＬＥＤ２６が実装されている。開口２２１およびＬＥＤ基板２５は、口金２７をソケット５２に装着する際の回転中心ＣＬに対して、略角度θ（すなわち、前述したソケット５２の傾きと同じ）だけ傾いて配設されている。
従って、ＬＥＤ電球１０の口金２７をソケット５２に装着した際に、開口２２１およびＬＥＤ基板２５を略水平に保持することが可能になる。
【００２０】
ボディ２２内部におけるＬＥＤ基板２５の内側には、ＬＥＤ基板２５に点灯電力を供給する電源装置２３が収容されている。電源装置２３は、口金２７と電気的に接続されており、口金２７を介してソケット５２から電力の供給を受ける。
【００２１】
図３にも示すように、回転機構３０は、口金２７の回転中心ＣＬに直交する面に設けられており、基部２１に固定される固定リング３１と、固定リング３１に対して回転可能に支持されボディ２２に固定される回転リング３２を有する。
固定リング３１は、基部２１におけるボディ２２側端部に一体的に設けられており、固定リング３１の外周面には、ローレット３１１が設けられている。また、固定リング３１のボディ２２側先端は、断面コ字状に張り出して、溝部３１２および凸部３１３が形成されている。
【００２２】
一方、回転リング３２は、ボディ２２における基部２１側端部に一体的に設けられており、回転リング３２の外周面には、ローレット３２１が設けられていて、ボディ２２を回転させる際の滑り止めとなっている。また、回転リング３２の基部２１側先端は、基部２１の固定リング３１の溝部３１２に嵌合する嵌合部３２２が内側に突出して設けられている。
これにより、回転リング３２は固定リング３１に対して、口金２７の回転中心ＣＬ回りに相対的に回転可能に支持される。
【００２３】
固定リング３１の溝部３１２には、過回転防止機構を構成する固定側ストッパ３３が設けられている。
一方、回転リング３２の嵌合部３２２の内面先端部には、回転リング３２の相対的回転時に固定側ストッパ３３が移動できるように凹部３２３が全周に亘って設けられている。凹部３２３には、過回転防止機構を構成する回転側ストッパ３４（図３（Ｂ）参照）が設けられており、固定リング３１の固定側ストッパ３３に当接して回転を規制する。
これにより、回転リング３２は固定リング３１に対して相対的に略３６０度（例えば、３５５度）回転可能であり、かつ、それ以上は回転できないようになっている。
【００２４】
また、回転機構３０は、通常使用時における基部２１とボディ２２との間の自由な相対的回転を規制するノッチ機構３５を有する。
図４に示すように、固定リング３１の溝部３１２には、ノッチ機構３５を構成する半球状の突起３１４が全周に亘って等間隔で複数個（ここでは３個）設けられている。一方、回転リング３２の嵌合部３２２内面には、突起３１４に対応してノッチ機構３５を構成する半球状の凹み３２４が全周に亘って等間隔で複数個設けられている。
【００２５】
これにより、突起３１４が凹み３２４に嵌合する位置で、回転リング３２は固定リング３１に対して仮止めされることになり、一定以上の回転力を加えることにより、回転リング３２は回転可能となる。
なお、凹み３２４を、中心間隔α（図４（Ａ）参照）で設けることにより、回転リング３２を回転角α毎に仮固定することができる。
【００２６】
従って、ＬＥＤ電球１０を、天井面１１に取り付けられているダウンライト５０に取り付ける際には、口金２７をソケット５２に挿入し、回転させて取り付ける。
そして、ボディ２２の開口２２１およびＬＥＤ基板２５が略水平になるように、回転リング３２を把持してボディ２２を回転させる。
【００２７】
以上、説明した本発明に係る第１実施形態のＬＥＤ電球１０によれば、口金２７をソケット５２に回転装着することにより、電源装置２３に電力を供給して、ＬＥＤ基板２５に実装されたＬＥＤ２６を点灯させる。この際に、ＬＥＤ２６を実装したＬＥＤ基板２５およびボディ２２に設けられている開口２２１が、口金２７の回転中心ＣＬに対して傾斜する方向に配設されているので、ＬＥＤ電球１０を斜めに取り付けた場合でも、下方への照射が可能であり、効率的に配光できる。
【００２８】
また、ボディ２２が、回転機構３０を介して基部２１に対して回転自在に連結されているので、口金２７をソケット５２に回転装着した際に、ＬＥＤ基板２５およびボディ２２の開口２２１が下方を向いていない場合でも、回転機構３０によりボディ２２を基部２１に対して回転させることで、容易に下方への照射を行うことができる。
【００２９】
また、回転機構３０には、基部２１とボディ２２との相対的回転が所定角度以上とならないように規制する固定側ストッパ３３および回転側ストッパ３４が設けられているので、口金２７と電源装置２３とを電線（図示省略）で接続した際に、電線が過度に回転して断線するのを防止できる。
【００３０】
また、回転機構３０は、通常使用時における基部２１とボディ２２との間の自由な相対的回転を規制するノッチ機構３５を有するので、ボディ２２を所望の回転位置で固定でき、ＬＥＤ２６によって所望の方向を照射できる。また、使用時における振動等で回転機構３０が回転してＬＥＤ２６による照射方向がずれるのを防止できる。
【００３１】
（第２実施形態）
次に、本発明に係る第２実施形態のＬＥＤ電球について、図面を用いて説明する。
なお、前述した第１実施形態にかかるＬＥＤ電球１０と共通する部位には同じ符号を付して、重複する説明を省略することとする。
図５に示すように、本発明に係る第２実施形態のＬＥＤ電球１０Ｂは、基部４０に半球状のカバー４１が、回転を規制した状態で装着されている。カバー４１の内部には、回動軸４２１回り（図５中矢印方向）に回動自在の回動板４２が設けられている。回動板４２の大きさおよび形状は任意であるが、回動板４２には、取付金具４３を介して、ＬＥＤ２６を実装したＬＥＤ基板２５が取り付けられている。ＬＥＤ基板２５には、ＬＥＤ２６を内包するように反射部材４５が設けられている。
【００３２】
ＬＥＤ基板２５は、少なくとも口金２７の回転中心ＣＬに対して傾斜する方向に取り付けられている。また、カバー４１の先端内面には、ブロック４４が設けられており、ブロック４４の一端にはストッパ突起４４１が設けられている。これにより、回動板４２が回動した際に、取付金具４３の先端がストッパ突起４４１に当接するので、回動板４２の回動角度、すなわちＬＥＤ基板２５の回動角度が規制される。
カバー４１は、全体的に不透光性であり、回動板４２の回動に伴って反射部材４５が移動する部分４１１のみ，透光性を有するようになっている。
【００３３】
以上、説明した本発明に係る第２実施形態のＬＥＤ電球１０Ｂによれば、ＬＥＤ２６を実装したＬＥＤ基板２５が、傾斜している方向へ揺動可能であるので、ＬＥＤ電球１０Ｂを、ダウンライト５０（図１参照）の器具本体５１に対して斜めに取り付けた場合には、重力により常にＬＥＤ２６が下方に回動して、光を下方へ照射することができる。
【００３４】
なお、本発明のＬＥＤ電球は、前述した各実施形態に限定されるものでなく、適宜な変形，改良等が可能である。
【符号の説明】
【００３５】
１０  ＬＥＤ電球
２１  基部
２２  ボディ
２２１  開口
２３  電源装置
２４  透光性カバー
２５  ＬＥＤ基板
２６  ＬＥＤ
２７  口金
３０  回転機構
３３  固定側ストッパ（過回転防止機構）
３４  回転側ストッパ（過回転防止機構）
３５  ノッチ機構
５２  ソケット
ＣＬ  回転中心
【図１】
2012133923.tif 000003
【図２】
2012133923.tif 000004
【図３】
2012133923.tif 000005
【図４】
2012133923.tif 000006
【図５】
2012133923.tif 000007
【図６】
2012133923.tif 000008
【図７】
2012133923.tif 000009